(57)【要約】【課題】開口した状態を保持することができる包装袋を提供する。【解決手段】表フィルム１１と裏フィルム１２を重ね合わせサイドシール部１３を設けた袋本体１００と、開口保持部材２００とからなる包装袋であって、開口保持部材は、表フィルムを外側に広げる表用保持部２１と、裏フィルムを外側に広げる裏用保持部２２とからなり、表用保持部と裏用保持部がその両端で結合する結合部２３、２３を有し、結合部を表フィルムと裏フィルムの間に挟んでサイドシール部を設けることにより、開口保持部材が袋本体に取り付けられ、開口保持部材には、外側に広がった状態を保持するストッパー２４が設けられている。【選択図】図２
2014210586.tif 000002
【特許請求の範囲】
【請求項１】
表フィルムと裏フィルムを重ね合わせサイドシール部を設けた袋本体と、開口保持部材とからなる包装袋であって、
前記開口保持部材は、前記表フィルムを外側に広げる表用保持部と、前記裏フィルムを外側に広げる裏用保持部とからなり、前記表用保持部と前記裏用保持部がその両端で結合する結合部を有し、該結合部を前記表フィルムと前記裏フィルムの間に挟んで前記サイドシール部を設けることにより、前記開口保持部材が前記袋本体に取り付けられ、前記開口保持部材には、外側に広がった状態を保持するストッパーが設けられていることを特徴とする包装袋。
【請求項２】
前記ストッパーは、上下の前記表用保持部から柱部分が出ていて、中間部に間隔が狭くなるように前記柱部分から突き出た係止部分が設けられ、該柱部分の上端にはそれぞれを結ぶ梁部分が設けられ、前記裏用保持部を跨るように設けられていることを特徴とする請求項１に記載の包装袋。
【請求項３】
前記表用保持部と前記裏用保持部のそれぞれには、外側に広げるときに折り曲がり易くする、易屈曲部が設けられていることを特徴とする請求項１または２に記載の包装袋。
【請求項４】
前記結合部の表面には、縦方向のリブが設けられていることを特徴とする請求項１から３のいずれか１項に記載の包装袋。
【請求項５】
前記結合部の外側に、取っ手取付け部が設けられていることを特徴とする請求項１から４のいずれか１項に記載の包装袋。
【発明の詳細な説明】
【技術分野】
【０００１】
本発明は、包装袋に関するものである。特に、開口した状態を保持できる機能を有する包装袋に関するものである。
【背景技術】
【０００２】
ペンキや、床用ワックス、グリス、接着剤などは、その収納された容器内に、刷毛やヘラ、あるいはローラーなどの道具の先を入れて使うことが多く、その容器には、広く開口した状態で保持される金属缶やプラスチック容器が用いられている。
【０００３】
これらの金属缶やプラスチック容器は、廃棄する際に、減容化できず、廃棄しにくい。又、コスト的にも高価になってしまう。これらの点から廃棄しやすく、安価にできる代替品が望まれている。普通の包装袋では、広く開口した状態で保持することができないが、この点が解決できれば、代替が可能である。
【０００４】
このような、開口した状態を保持できる袋として、袋状体の開口部に、例えば延伸倍率１０〜４０倍の延伸オレフィン系樹脂シートなどの形状保持性シートが積層され、袋状体の開口部を開くように、形状保持性シートを延伸方向と略直角に折り曲げることにより、折り曲げた形状が保持される袋がある（特許文献１）。
【０００５】
このような形状保持性シートは特殊なものであり入手が難しく高価である。また、袋を開口したときの状態を完全に保持することができるとは限らない。
【０００６】
公知文献を以下に示す。
【先行技術文献】
【特許文献】
【０００７】
【特許文献１】特開２００４−２９９６８９号公報
【発明の概要】
【発明が解決しようとする課題】
【０００８】
本発明は上記した事情に鑑みてなされたもので、開口した状態を保持することができる包装袋を提供することを課題としている。
【課題を解決するための手段】
【０００９】
本発明の請求項１に係る発明は、表フィルムと裏フィルムを重ね合わせサイドシール部を設けた袋本体と、開口保持部材とからなる包装袋であって、
前記開口保持部材は、前記表フィルムを外側に広げる表用保持部と、前記裏フィルムを外側に広げる裏用保持部とからなり、前記表用保持部と前記裏用保持部がその両端で結合する結合部を有し、該結合部を前記表フィルムと前記裏フィルムの間に挟んで前記サイドシール部を設けることにより、前記開口保持部材が前記袋本体に取り付けられ、前記開口保持部材には、外側に広がった状態を保持するストッパーが設けられていることを特徴とする包装袋である。
【００１０】
本発明の請求項２に係る発明は、前記ストッパーは、上下の前記表用保持部から柱部分が出ていて、中間部に間隔が狭くなるように前記柱部分から突き出た係止部分が設けられ、該柱部分の上端にはそれぞれを結ぶ梁部分が設けられ、前記裏用保持部を跨るように設けられていることを特徴とする請求項１に記載の包装袋である。
【００１１】
本発明の請求項３に係る発明は、前記表用保持部と前記裏用保持部のそれぞれには、外側に広げるときに折り曲がり易くする、易屈曲部が設けられていることを特徴とする請求項１または２に記載の包装袋である。
【００１２】
本発明の請求項４に係る発明は、前記結合部の表面には、縦方向のリブが設けられていることを特徴とする請求項１から３のいずれか１項に記載の包装袋である。
【００１３】
本発明の請求項５に係る発明は、前記結合部の外側に、取っ手取付け部が設けられていることを特徴とする請求項１から４のいずれか１項に記載の包装袋である。
【発明の効果】
【００１４】
本発明の包装袋は、開口した状態を保持することができる。そのため、金属缶やプラスチック容器のような、広く開口された状態で使用することのある容器の代替として用いることができ、廃棄する際に、減容化して廃棄することができる。
【図面の簡単な説明】
【００１５】
【図１】本発明の包装袋の一例を模式的に正面で示した説明図である。
【図２】本発明の包装袋の一例で、開口を保持した状態を説明する平面図である。
【図３】本発明の包装袋の一例に用いる開口保持部材の説明図である。（Ａ）正面図である。（Ｂ）背面図である。
【図４】本発明の包装袋の一例に用いる開口保持部材で、ストッパーを起こし、やや開いた状態を説明する平面図である。
【図５】本発明の包装袋の一例に用いる開口保持部材のストッパーの説明図である。
【図６】本発明の包装袋の一例で、開口して保持させ、取っ手を取り付けた状態を説明する概念図である。
【図７】本発明の包装袋の他の例で、開口して保持させ、取っ手を取り付けた状態を説明する概念図である。
【図８】本発明の包装袋の更に他の例で、ジッパーを取り付けた状態を説明する概略図である。
【発明を実施するための形態】
【００１６】
以下、本発明を実施するための形態につき説明する。
図１は、本発明の包装袋の一例を模式的に正面で示した説明図である。図２は、本発明の包装袋の一例で、開口を保持した状態を説明する平面図である。
【００１７】
本例の包装袋は、図１の正面図に示すように、袋本体１００と開口保持部材２００とからなっている。袋本体１００のサイドシール部１３、１３の上端近傍には、その左右にノッチ１３ａ、１３ａを設けていて、ノッチ１３ａ、１３ａ間には、図示しないが、レーザー加工によるハーフカット加工が施されている。
【００１８】
図２の平面図のように、開口保持部材２００は、袋本体１００の表フィルム１１を外側に広げる表用保持部２１と、裏フィルム１２を外側に広げる裏用保持部２２とからなり、表用保持部２１と裏用保持部２２はその両端で結合し、結合部２３、２３を有している。
【００１９】
そして、結合部２３、２３を表フィルム１１と裏フィルム１２の間に挟んでサイドシール部１３、１３を設けることにより、開口保持部材２００が袋本体１００に取り付けられている。
【００２０】
また、開口保持部材２００には、外側に広げた状態で止めておくためのストッパー２５
、２５が設けられている。本例では、表用保持部２１より突き出て、裏用保持部２２との距離を一定に保つような構造になっている。
【００２１】
結合部２３、２３の外側には、取っ手を取り付けるための取っ手取付け部２４、２４が設けられている。本例では、取っ手取付け部２４、２４の中央部分に貫通孔２６が設けられていて、取っ手に設けられた突起が嵌合して取り付けるようになっている。
【００２２】
図３は、本発明の包装袋の一例に用いる開口保持部材の説明図である。（Ａ）正面図である。（Ｂ）背面図である。図４は、本発明の包装袋の一例に用いる開口保持部材で、ストッパーを起こし、やや開いた状態を説明する平面図である。図５は、本発明の包装袋の一例に用いる開口保持部材のストッパーの説明図である。
【００２３】
表用保持部２１は、図３のように、上下２本からなり、その間に裏用保持部２２が設けられている。表用保持部２１と裏用保持部２２は、その両端で結合して結合部２３、２３が設けられ、更にその外側に取っ手取付け部２４、２４が設けられている。
【００２４】
結合部２３、２３は、図４のように、膨らんだ形状になっていて、その表面に縦方向に凸状の複数のリブ２３ａが設けられている。これを設けることによって、結合部２３、２３を表フィルム１１と裏フィルム１２の間に挟んでサイドシール部１３、１３を設けるとき、リブ２３ａが融けて表フィルム１１と裏フィルム１２に融着して、確実にシールされ、内容物が漏れない様に密封することができる。
【００２５】
表用保持部２１と裏用保持部２２には、それぞれ外側に広げるときに折り曲がり易くするための、易屈曲部２７が設けられている。本例では、それぞれの中央部と、結合部２３の近傍に設けられている。
【００２６】
また、表用保持部２１と裏用保持部２２には、それぞれ、表フィルム１１や裏フィルム１２と部分的に接着させる接着部２８を設けることができる。取っ手取付け部２４には、中央部分に貫通孔２６が設けられていて、取っ手が嵌合して取り付けられるようになっている。
【００２７】
ストッパー２５は、上下の表用保持部２１から裏用保持部２２を跨いで設けられている。ストッパー２５は、図５のような形状で、上下の表用保持部２１から柱部分２５ａ、２５ａが出ていて、中間部に間隔が狭くなるように柱部分２５ａ、２５ａから突き出た係止部分２５ｂ、２５ｂが設けられ、柱部分２５ａの上端にはそれぞれを結ぶ梁部分２５ｃが設けられている。
【００２８】
表用保持部２１から裏用保持部２２を、易屈曲部２７を折り曲げて、外側に開いていくと、裏用保持部２２が間の狭くなっている係止部分２５ｂを通って、梁部分２５ｃに突き当たって止まる。係止部分２５ｂは裏用保持部２２の幅よりやや狭くなっていてここを通すことによって、簡単には元に戻らず、開口した状態で保持することができる。
【００２９】
図６は、本発明の包装袋の一例で、開口して保持させ、取っ手を取り付けた状態を説明する概念図である。図７は、本発明の包装袋の他の例で、開口して保持させ、取っ手を取り付けた状態を説明する概念図である。図８は、本発明の包装袋の更に他の例で、ジッパーを取り付けた状態を説明する概略図である。
【００３０】
このように、開口保持部材２００が開口した状態で保持することができるので、これを取り付けた袋本体１００の開口部も、図２のように、開口状態で保持することができる。この状態から、貫通孔２６を利用して、図６のように、取っ手取付け部２４、２４に取っ
手３００を取り付けることができる。
【００３１】
図６のような包装袋では、使用途中で床などに置くことは出来ないが、図７のように、袋本体１００の底部分を、底テープを差し込んでシールした船底シール１４などによって、スタンディングパウチにすれば、床などの上に置いても、内容物をこぼすことがないので使い勝手が良い。
【００３２】
また、図８のように、天シール部１５と開口保持部材２００の間に、ジッパー１６を取り付けることもできる。ジッパー１６を取り付けることにより、開封後、再度包装袋を密封することができる。
【００３３】
すなわち、取っ手３００を外して、包装袋の外から押して折り畳み、ジッパー１６で密封すれば再封することができる。また、このときストッパー２５は、裏用保持部２２が係止部分２５ｂを抜けて、裏用保持部２２と表用保持部２１が平坦になる。
【００３４】
袋本体１００は、表フィルム１１や裏フィルム１２が単層のフィルムであっても良いが、基材層とシーラント層からなる積層フィルムであることが好ましい。また、必要に応じて、基材層とシーラント層の間にバリア層を設けることができる。
【００３５】
単層のフィルムやシーラント層は、熱可塑性樹脂からなっている。厚さとしては、４０μｍから２００μｍが好ましい。また、開口保持部材２００は、インジェクション成形などによって作ることができる。
【００３６】
開口保持部材２００は、結合部２３、２３を表フィルム１１と裏フィルム１２の間に挟んでサイドシール部１３、１３を設けるので、少なくとも、結合部２３、２３の外表面の樹脂が、袋本体１００のシーラント層の熱可塑性樹脂と熱シール可能な樹脂でなければならない。
【００３７】
基材層には、ポリエチレンテレフタレートやナイロン、ポリプロピレンなどの延伸フィルムなどを使用することができる。また、バリア層には、アルミニウム箔などの金属箔や、金属蒸着層、無機酸化物蒸着層など、あるいはバリア性の高い樹脂フィルムなどを用いることが出来る。
【００３８】
このように、本発明の包装袋は、特殊な材料を用いることなく、汎用の材料を使用することができ、安価な材料を用いることが出来る。
【００３９】
以上のように、本発明の包装袋は、安価な材料で作ることができ、開口した状態で保持することができる。そのため、金属缶やプラスチック容器など広く開口された状態で使用することのある容器の代替として用いることが出来、また、刷毛やヘラなどに付けた余分な塗布液などを、開口保持部材２００の表用保持部２１や裏用保持部２２で袋本体１００内に掻き落とすことができる。また、廃棄のする際には減容化して廃棄することができ、環境にもやさしい。
【符号の説明】
【００４０】
１００・・・袋本体
２００・・・開口保持部材
３００・・・取っ手
１１・・・表フィルム
１２・・・裏フィルム
１３、１３・・・サイドシール部
１３ａ、１３ａ・・・ノッチ
１４・・・船底シール
１５・・・天シール部
１６・・・ジッパー
２１・・・表用保持部
２２・・・裏用保持部
２３、２３・・・結合部
２３ａ・・・リブ
２４、２４・・・取っ手取付け部
２５、２５・・・ストッパー
２５ａ・・・柱部分
２５ｂ・・・係止部分
２５ｃ・・・梁部分
２６・・・貫通孔
２７・・・易屈曲部
２８・・・接着部
【図１】
2014210586.tif 000003
【図２】
2014210586.tif 000004
【図３】
2014210586.tif 000005
【図４】
2014210586.tif 000006
【図５】
2014210586.tif 000007
【図６】
2014210586.tif 000008
【図７】
2014210586.tif 000009
【図８】
2014210586.tif 000010